(57)【特許請求の範囲】
【請求項１】
消火器本体と、防護シールド板と、立掛けスタンドとで構成される住宅用消火器であって、
前記消火器本体は、略楕円筒状の胴体の先端部に噴射ノズルを配した格納胴部を段差を設けて形成し、手元部には把持ハンドル部と噴射ノズルボタンを設けて成り、
前記防護シールド板は、略円弧状の透明な耐熱強化樹脂板で形成し、前記格納胴部の形状を回避するくり抜き孔を有して前記消火器本体の外筒両側面に係支して略直角に回動可能として成り、
前記立て掛けスタンドは、土台部に前記格納胴部が納まる斜め楕円形の格納口を有する楕円筒状の支柱を備えて成る
ことを特徴とする住宅用消火器。
【請求項２】
前記立て掛けスタンド内に、室内に設けられる火災警報機と連動する住宅用防災報知システムを設けたことを特徴とする請求項１記載の住宅用消火器。
【発明の詳細な説明】
【技術分野】
【０００１】
本発明は、住宅用消火器に関し、特にユニバーサルデザインによる携帯性能と、簡単構造による操作性能と、防護シールドによる安全性能を併せ持ち、さらに住宅用防災報知システムを備えた住宅用消火器に関するものである。
【背景技術】
【０００２】
消火器といえば、ＡＢＣ粉末消火液を利用した加圧式の消火器が従来多く使われてきたが、最近では、年間約３４，０００件の建物火災（住宅・飲食店・旅館・ホテル・デパート・病院・工場など）が発生し、そのうち住宅火災が６割を占め、しかも死者の約９割が住宅火災に起因している実態から、てんぷら油や灯油などの可燃性液体の火災に有効な炭酸カリウムを主成分とした安全性が高く、使い易い強化液を利用した蓄圧式の住宅用消火器が急速に普及してきている。
【０００３】
該強化液蓄圧式の住宅用消火器は、従来のＡＢＣ粉末消火器と比較して、（１）消火液が噴霧状で放射されるので火災の火元が確認しやすい、（２）腐食や加圧圧力による消火液ボンベの破裂の危険性が少ない、（３）消火剤の飛散による後片付けが比較的容易、などの理由から、今日では種々強化液蓄圧式住宅用消火器が従来のＡＢＣ粉末消火器とともに普及してきている。
【０００４】
また、最近では、外国製のエアゾール式簡易消火具も市場に出回るようになってきたが、消火液がハロンまたは代替ハロンを使用した製品の中には、てんぷら油の火炎を拡大させる恐れのあるものや、石油ストーブによる火炎を消火できないものも報告されていて、その安全性において疑問が持たれている。
【０００５】
以上な状況を踏まえ、消火剤容器内の消火薬剤を残すことなく放出可能とした「消火器」（特許文献１）が提案されているが、該提案は、据え置き型の消火剤容器ユニットに消火剤放出ノズルを延長ホースで連結したものであって、前述の蓄圧式の利点を多く含むものではあるが、消火可能な範囲が延長ホースの長さ範囲内に留まり、設置場所以外の消火作業が容易ではないことや、消火作業において火炎や消火液、油などの飛散を防護する安全な構造を有していないため、使用者の安全面に関しての対策がされていないものであった。
【０００６】
また、消防法が２００６年６月１日から改正され、すべての住宅建物に対して火災報知機の設置が義務付けられるに伴い、今後火災消火器自体の機能に従来にない火災警報機と連動する感知器、中継器、受信機で構成される住宅用防災報知システム装備が求められてくるものと考えられる。
【０００７】
【特許文献１】特開平１１−２７６６１４号公報
【発明の開示】
【発明が解決しようとする課題】
【０００８】
本発明は、上記問題点に鑑み、携帯性と操作性と安全性を併せ持ち、さらに住宅用防災報知システムを備えた住宅用消火器を提供することを目的とする。
【課題を解決するための手段】
【０００９】
前記目的を達成するため、本発明は、消火器本体と防護シールド板と立掛けスタンドとで構成される住宅用消火器であって、前記消火器本体は、略楕円筒状の胴体の先端部に噴射ノズルを配した格納胴部を段差を設けて形成し、手元部には把持ハンドル部と噴射ノズルボタンを設けて成り、前記防護シールド板は、略円弧状の透明な耐熱強化樹脂板で形成し、前記格納胴部の形状を回避するくり抜き孔を有して前記消火器本体の外筒両側面に係支して略直角に回動可能として成り、前記立て掛けスタンドは、土台部に前記格納胴部が納まる斜め楕円形の格納口を有する楕円筒状の支柱を備えて成る構成となっている。
【００１０】
また、本発明は、前記立て掛けスタンド内に、室内に設けられる火災警報機と連動する住宅用防災報知システムを設けた構成を採用し得る。
【発明の効果】
【００１１】
本発明にかかる住宅用消火器によれば、防護シールド板を従来になく新しく設けることによって、熱や炎、消火液、油などの飛散から使用者の身を守る安全対策構造を講じているもので、該構造も簡単で操作も立て掛けスタンドから消火器本体を取り出すことによって自重で開放され、消火器本体の外筒両側面に略直角に回動可能に係支して止められるものである。
【００１２】
また、本発明にかかる住宅用消火器によれば、消防法におけるボンベの赤着色が義務付けされていないため、カラフルな色彩デザインやボンベとレバーの構造を露出しないパッケージデザインを施すことができるため、より安定した設置構造や室内インテリアにマッチした住宅用消火器の提供ができる。
【００１３】
さらに、本発明にかかる住宅用消火器によれば、消火液の充填が可能な構成とすることで、使用後に該消火液を再充填すれば何度も繰り返し使用することが可能となる。
【００１４】
またさらに、本発明にかかる住宅用消火器によれば、２００６年６月１日から施行される消防法に対応した火災警報機と連動する感知器、中継器、受信機で構成される住宅用防災報知システム装備が立て掛けスタンドに内蔵される構成を採用することにより、従来の消火器と比較して確実性の高い消火器を提供できるものである。
【発明を実施するための最良の形態】
【００１５】
本発明にかかる住宅用消火器１は、消火器本体２と防護シールド板３と立掛けスタンド４とで構成される住宅用消火器１であって、使用者が消火態勢を採った際に、自動的に防護シールド板３が直立することで、熱や炎、消火液、油などの飛散から使用者の身を守るための安全構造を採用したことを最大の特徴とする。以下、本発明にかかる住宅用消火器１の実施形態を、図面に基づいて説明する。
【００１６】
図１は、本発明にかかる住宅用消火器１の格納状態を示す斜視図である。
住宅用消火器１は、消火器本体２と防護シールド板３と立掛けスタンド４とで構成され、特にユニバーサルデザインによる携帯性能と、簡単構造による操作性能と、防護シールド板３による安全性能とを併せ持つものである。
【００１７】
消火器本体２は、楕円筒状の胴体５を形成し、先端部６には噴射ノズル７を配した格納胴部８を段差９状に設けて形成し、手元部１０には、把持ハンドル１１部と噴射ノズルボタン１２を設けて構成されている。
【００１８】
防護シールド板３は、略円弧状の透明な耐熱強化樹脂板で形成し、図１（ｂ）に示すように、前記格納胴部８の形状を回避するくり抜き孔１４を有して、前記消火器本体２における外筒両側面の係止軸２ａを中心として略直角に回動可能となるよう係支された構成となっている。
【００１９】
立て掛けスタンド４は、前記格納胴部８が納まる斜め楕円状の格納口１５を有する楕円筒状の支柱１６と、防災報知システム２１を内蔵し表示部１７を備える土台部２０から構成されている。立て掛けスタンド４の発光部１９ならびに前記表示部１７に内蔵された警告ランプ１８は、発光や点滅、アラームや音声による非常警報よって、非常時の切羽詰った心理状態や暗闇においても、設置場所ならびに火災発生場所が素早く確認できるものである。
【００２０】
図２は、本発明にかかる住宅用消火器１を示す作動状態説明図である。
（１）立掛けスタンド４に消火器本体２が格納されている状態では、防護シールド板３が閉じられている。
（２）消火器本体２を持ち上げると、防護シールド板３が消火器本体２に対して自重で係止軸２ａを中心として回動して開放され、略直角にまで回動したところで自動的にロックされ、動かなくなる。
（３）消火器本体２を片手で保持し、もう一方の手で把持ハンドル１１を握り、噴射ノズル７を火元に向ける。その際、消火器本体２は、ユニバーサルデザインを採用している楕円筒状の胴体５を形成しているため、女性の小さな手でも持ち易い構造を有している。
（４）把持ハンドル１１を握っている手の親指で、噴射ノズルボタン１２を押す。
（５）消火作業終了後、消火器本体２を立掛けスタンド４に戻す。なお、後に場合によっては、自身であるいは業者に委託して、消火液の再充填を行う。
【００２１】
図３は、本発明にかかる住宅用消火器１を示す使用状態説明図である。
図３（ａ）に示すように、消火器本体２の把持ハンドル１１を握って持ち上げると、防護シールド板３が消火器本体２に対して自重で係止軸２ａを中心として回動して開放され、略直角にまで回動したところで自動的にロックされ、動かなくなる。その状態で、把持ハンドル１１を握っている手と反対の手を、消火器本体２の胴体５に添えることで、消火時の態勢となる。
そして図３（ｂ）に示すように、実際の消火に際しては、把持ハンドル１１を握った手の親指で誤使用防止キャップ１３を外し、噴射ノズル７を火元に向け、噴射ノズルボタン１２を押すことで消火作業を行う。その際、防護シールド板３によって、熱や炎、消火液、油などの飛散から使用者の身を守る安全構造となっている。
【００２２】
図４は、本発明にかかる住宅用消火器１を示す防災報知システム２１の概要説明図である。
図４（ａ）に示すように、まず室内に設置されている火災警報機２２が火災を感知する。
【００２３】
火災警報機２２が火災を感知すると、同室にある住宅用消火器１ａの防災報知システム２１ａが作動し、立掛けスタンド４の土台部２０にある表示部１７の警告ランプ１８が点滅するとともに、アラームや音声により警告する。このとき、住人が同室にいた場合には、該防災報知システム２１ａによって火災発生に気付くとともに、住宅用消火器１ａの設置場所が瞬時にわかり、該住宅用消火器１ａを使用して即座に消火にあたる。
【００２４】
住宅用消火器１ａの防災報知システム２１ａが作動すると、それと同時に別室にある住宅用消火器１ｂの防災報知システム２１ｂも作動する。その際、図４（ｂ）に示すように、該別室の住宅用消火器１ｂにおける立掛けスタンド４の土台部２０にある表示部１７に内蔵された発生場所を表示する警告ランプ１８が点滅して、火災の発生場所を知らせるとともに、アラームで警告する。なお、場合によっては、音声によって発生場所を知らせたり、警告を行ったりする態様も考え得る。
【００２５】
住人が別室にいた場合には、図４（ｃ）に示すように、消火器本体２を立掛けスタンド４より抜き取って、火災の発生場所まで消火作業に向かう。消火器本体２は楕円筒状の胴体５であり、子供や女性でも容易に包持できるユニバーサルデザインを採用しているため、携帯性に優れている。
【００２６】
図４（ｄ）に示すように、実際の消火作業を行う際には、立て掛けスタンド４から消火器本体２を取り出すことによって、防護シールド板３が自重で消火器本体２の外筒両側面に略直角に回動して係止されるため、使用者が熱や炎、消火液、油などの飛散から身を守る安全対策が採られている。また、該防護シールド板３が存在することにより、火災の火元が確認し易く、よって完全消火による作業中断の判断も容易であって消火液の噴射を最小限に抑えることができることから、後始末の作業も容易となる。
【図面の簡単な説明】
【００２７】
【図１】本発明にかかる住宅用消火器を示す全体斜視図である。
【図２】本発明にかかる住宅用消火器を示す作動状態説明図である。
【図３】本発明にかかる住宅用消火器を示す使用状態説明図である。
【図４】本発明にかかる住宅用消火器を示す防災報知システムの概要説明図である。
【符号の説明】
【００２８】
１    住宅用消火器
２    消火器本体
２ａ  係止軸
３    防護シールド板
４    立掛けスタンド
５    楕円筒状の胴体
６    先端部
７    噴射ノズル
８    格納胴部
９    段差
１０    手元部
１１    把持ハンドル
１２    噴射ノズルボタン
１３    誤使用防止キャップ
１４    くり抜き孔
１５    格納口
１６    楕円筒状の支柱
１７    表示部
１８    警告ランプ
１９    蛍光塗料部
２０    土台部
２１    防災報知システム
２２    火災警報機
【図１】
0004866316.tif 000002
【図２】
0004866316.tif 000003
【図３】
0004866316.tif 000004
【図４】
0004866316.tif 000005